(57)【要約】　　　（修正有）【課題】熱可塑性樹脂が主体の支持台，留め具，及びアーチ棒を組み合わせて、作業性と耐久性に優れた再生可能な苗床カバー保持器を提供する。【解決手段】再生可能な熱可塑性樹脂が主体のプラスチック成型品として、支持台Ａとそれを固定する留め具Ｂ及びシートをかぶせる為の屈曲可能なアーチ棒Ｃを組み合わせる事により、作業性と耐久性に優れた苗床カバー保持器を得る。特に、ポリプロピレン屑を含むリサイクル屑を用いる事により、軽くて強く環境に優しい苗床カバー保持器を得る。【選択図】図１
2004008201.tif 000002
【特許請求の範囲】
【請求項１】
熱可塑性樹脂が主体の支持台（Ａ）とそれを固定する留め具（Ｂ）及びシートをカバーさせる為の屈曲するアーチ棒（Ｃ）が組合わされた再生可能な苗床カバー保持器。
【請求項２】
前記請求項１において、該熱可塑性樹脂がポリプロピレン屑を含むリサイクル屑から成る再生可能な苗床カバー保持器。
【発明の詳細な説明】
【０００１】
【発明の属する技術分野】本発明は、苗床をシートでカバーする時の保持器に関するものであり、熱可塑性樹脂が主体の支持台，留め具，及びアーチ棒を組み合わせる事により、作業性と耐久性に優れた再生可能な苗床カバー保持器を提供するものである。特にリサイクル屑を再利用する場合は環境に優しい商品となる。
【０００２】
【従来の技術】従来、苗床カバーとしては、多数の針金の両端を地面に突き刺してアーチを作り、その上からシートをかぶせているのが主流であった。しかし、この方法では、針金を突き刺すのに力が必要で、地面が固い場合などは深く刺し込まれない為にすぐに針金が抜けてしまう問題があった。
また、たとえ針金が地面に深く入っても、雨が降ると抜けやすくシートが剥がれてカバー保持器としての耐久性に乏しいものであった。
更に、針金が太いと地面に突き刺す事が困難になる為、細いものを使用せざるを得ず、その結果シートの固定が十分出来ない欠点を有していた。
【０００３】
【発明が解決しようとする課題】本発明は、例えば図１に示すような熱可塑性樹脂が主体の支持台（Ａ）とそれを固定する留め具（Ｂ）及びアーチ棒（Ｃ）を組合わせる事により、従来にみられない作業性と耐久性に優れ且つ再生可能で環境に優しい苗床カバー保持器を提供するものである。
【０００４】
【課題を解決するための手段】本発明者らは、前記目的を達成するために鋭意検討を重ねた結果、再生可能な熱可塑性樹脂が主体のプラスチック成型品として、支持台（Ａ）とそれを固定する留め具（Ｂ）及びシートをかぶせる為の屈曲可能なアーチ棒（Ｃ）を作成しそれらを組み合わせる事により、作業性と耐久性に優れた苗床カバー保持器を得るに至ったものである。
【０００５】
【発明の実施の形態】本発明に言う熱可塑性樹脂とは、例えばポリエステル，ポリプロピレン，ポリエチレン，ポリアミド，ポリスチレン，ポリ塩化ビニール，ポリウレタン等を意味するが、これらにフェノール，不飽和ポリエステル，メラミン，エポキシ等の熱硬化性樹脂や人造繊維，天然繊維，木屑，炭酸カルシュウム，タルク，ガラス繊維，マイカ，顔料，紫外線防止剤，酸化防止剤等を混合させても何ら問題ない。特に、ポリエステル屑やポリプロピレン屑などの環境に優しいリサイクル屑を利用するのが望ましい。
また、熱可塑性樹脂の中でポリプロピレンは、融点が約１６０℃で軽くて成型し易く、その中に高融点のポリエステルやポリアミドの繊維屑が混入したいわゆる繊維補強プラスチック（ＦＲＰ）が得られる場合は、軽量性，作業性，耐久性，リサイクル性などの点から更に好ましいものとなる。
【０００６】
支持台（Ａ）は、例えば図２の如く留め具及びアーチ棒を差し込む穴があり、支持台同士を留め具で連結する為に、両端を斜め切りやＬ字切りにするのが良い。
また、図１の如く支持台を横に３列並べてアーチ棒を交互に差し込む為に、アーチ棒差し込み穴を２倍多く開けるのが好ましい。
支持台の寸法は自由に変えられるが、取り扱い易く且つアーチ棒が抜けたり割れたりしない為には、一辺が２０ｍｍ以上好ましくは３０〜１００ｍｍの角材で１〜２ｍの長さが適正と思われる。
【０００７】
留め具（Ｂ）は、例えば図３の如き形状のもので地面に突き刺し易くする為に下部の先端を細くし、上部は手で押したりハンマーで打ったりする為に幅広くするのが良い。またシートを固定する時に利用出来る様に、上部はフック形状するのがより好ましい。
留め具の寸法は、耐久性と着脱性の点から太さは５〜３０ｍｍ，長さは１００〜４００ｍｍで、地面に突き刺さる部分が７０ｍｍ以上になるのが好ましい。
【０００８】
屈曲可能なアーチ棒（Ｃ）は、例えば図４の如く外径が５〜３０ｍｍの中空の再生可能なプラスチック棒で、扱い易くて耐久性に富んでいるものが良い。また、長さは苗床の幅と高さに合わせて自由に変えられるが、通常０．５〜２ｍが適正と考えられる。
【０００９】
通常、図１の如き組み立てられた苗床カバー保持器にフイルムや不織布のシートをカバーするが、その場合アーチ棒とシートを固定する目的で、熱可塑性樹脂のクリップを使用するのはリサイクルの点で好ましい。
更に、風雨に耐えられるようにシートの上から紐をかけ、その紐の端を前記留め具のフックに結ぶ付ける事や該留め具でシートの両端を固定する事も望ましい方法と言える。
【００１０】
本発明で得られる苗床カバー保持器は、組立て式で苗床に合わせて長さや幅が自由に変えられて取り扱い性が良く、且つ従来方式と異なり、風雨で保持器が破損したり、シートが飛んだりする事がほとんどない為、長い年月使用可能となる。
また、保持器のすべての部品が再生可能な熱可塑性樹脂から成る為環境に優しく、特に軽量で成形し易いポリプロピレン系樹脂が主体で、その中にポリエステル繊維，ポリアミド繊維，天然繊維などが補強用として混入している成型品は、作業性，耐久性の点からも利用価値の高いものである。
【００１１】
以下実施例により本発明を具体的に説明するが、本発明はその主旨を超えない限りこれらの例に何ら制約されるものではない。
【００１２】
実施例１
ポリプロピレン屑６０重量％、木屑１５重量％、パイル糸がポリエステルのカーペット屑２５重量％を混合機で混合した後、約２００℃まで昇温するグラッシュミキサーで直径３〜１５ｍｍの顆粒を製造した。
次いで、該顆粒を用いて１８０−２００−２２０−２３０℃の４ゾーンから成る単軸押出機で溶融混練して、押出成型により各部品である支持台（Ａ），留め具（Ｂ），アーチ棒（Ｃ）及びクリップを作成した。
支持台（Ａ）は、図２でＬ１＝８０ｍｍ，Ｌ２＝１２０ｍｍ，Ｌ３＝５０ｍｍ，Ｌ４＝１４００ｍｍ，Ｌ５＝３５ｍｍ，Ｌ６＝３５ｍｍ，Ｄ１＝１０ｍｍ，Ｄ２＝１０ｍｍの形状にして、留め具用穴２コとアーチ棒差込穴１０コを開けた。
留め具（Ｂ）は、図３でＬ７＝７０ｍｍ，Ｌ８＝１５０ｍｍ，Ｄ３＝６ｍｍのフック形状にし、地面に突き刺す為に先端を細くした。
アーチ棒（Ｃ）は、図４でＬ９＝１４００ｍｍ，Ｄ４＝８ｍｍ，Ｄ５＝６ｍｍの中空丸棒にした。
また、シートをアーチ棒に固定する為の差込み式クリップ（幅３０ｍｍ，長さ３０ｍｍ）を前記の混合樹脂で作成し、図１の如く各部品を組み立て、支持台の間隔を７００ｍｍにして連結により幅１５ｍ，長さ３０ｍの土地に苗床を設置した。
保持器設置時やシート着脱時の作業性及び強風雨時の耐久性などを１年間チェックしたが、問題はなく苗床保持器として優れたものであった。
一方比較例として、従来方式で針金を地面に突き刺して苗床を作成したが、本発明方式に比べて大幅に作業時間がかかり、且つ強風や台風で針金が抜けたり、シートが剥がれて飛んでしまう欠点を有していた。
【００１３】
実施例２
ポリプロピレン屑５０重量％、ポリウレタンクッション材屑２０重量％、ポリエステル／木綿＝６０／４０の織布屑３０重量％を混合機で混合した後、約２００℃のグラッシュミキサーで顆粒を得た。
次いで該顆粒を用いて押出成型により、図２でＬ１＝１００ｍｍ，Ｌ２＝１５０ｍｍ，Ｌ３＝８０，Ｌ４＝１８００ｍｍ，Ｌ５＝５０ｍｍ，Ｌ６＝５０ｍｍ，Ｄ１＝１６ｍｍ，Ｄ２＝１４ｍｍの支持台（Ａ）を作成した。
一方、ＰＥＴボトルからのフレークとそれに１０重量％のマイカを混合して、押出成形により図３でＬ７＝１００ｍｍ，Ｌ８＝２００ｍｍ，Ｄ３＝１４ｍｍの留め具（Ｂ）を作成した。
また、ポリプロピレン屑の押出成形により、図４でＬ９＝１８００ｍｍ，Ｄ４＝１２ｍｍ，Ｄ５＝８ｍｍの中空丸棒（Ｃ）及び実施例１と同様のクリップを得た。
その後、これらの部品を連結組み合わせシートでカバーして、幅３０ｍ，長さ５０ｍの土地に設置したが、実施例１と同様に従来方式に見られない作業性と耐久性に優れた苗床カバー保持器であった。
【図面の簡単な説明】
2004008201.tif 000003
2004008201.tif 000004
【手続補正書】
【提出日】平成14年8月9日(2002.8.9)
【手続補正１】
【補正対象書類名】明細書
【補正対象項目名】図面の簡単な説明
【補正方法】変更
【補正の内容】
【図面の簡単な説明】
【図１】
・本発明の苗床カバー保持器の組立図を例示したものである。
【図２】
・支持台（Ａ）の平面図及び側面図を例示したものである。
【図３】
・留め具（Ｂ）の平面図及び側面図を例示したものである。
【図４】
・屈曲可能なアーチ棒（Ｃ）の平面図及び側面図を例示したものである。
【符号の説明名】
・Ａ　支持台
・Ｂ　留め具
・Ｃ　アーチ棒
・Ｄ　留め具差込み穴（直径Ｄ１）
・Ｅ　アーチ棒差込み穴（直径Ｄ２）
・Ｆ　支持台連結部


【手続補正２】
【補正対象書類名】図面
【補正対象項目名】全図
【補正方法】変更
【補正の内容】
【図１】
2004008201.tif 000005
【図２】
2004008201.tif 000006
【図３】
2004008201.tif 000007
【図４】
2004008201.tif 000008